(57)【要約】【課題】  着衣者の実際の体形を確実に反映した原型を構成でき、オーダーメード等の上衣の製作の容易化を図ることができる上衣製作用の原型及びそれを縮小表示したシートを提供する。【解決手段】  人体上半身のさらに縦割り半身形からなる上衣製作用原型１０であって、該原型１０は、襟ぐり部１２と背肩部１４とからなる上辺１６と、上辺１６に隣接する横辺１８と、横辺１８に対向する背丈辺２０と、横辺１８と背丈辺２０とに連続し上辺１６に対向して形成される下辺２２と、で外形輪郭が形成され、所要の部位の寸法を採寸により得られた実寸を基準にして設定した上衣製作用の原型及びそれを縮小表示したシートとする。【選択図】図６
0003120867.tif 000002
【実用新案登録請求の範囲】
【請求項１】
人体上半身のさらに縦割り半身形からなる上衣製作用原型であって、
該原型は、襟ぐり部と背肩部とからなる上辺と、上辺に隣接する横辺と、横辺に対向する背丈辺と、横辺と背丈辺とに連続し上辺に対向して形成される下辺と、で外形輪郭が形成され、
横辺は、原型本体の内部側に凹設する凹部であって、縦長に凹設された袖ぐり部を有し、
襟ぐり部と背肩部とからなる上辺を含む原型の上部を背肩幅部とし、
背丈辺と、袖ぐり部の切り取り縁の下端部分から下方部分と、により画成される部分を胸廻り部とし、
背肩幅部における背丈辺と袖ぐり部の切り取り縁との最大幅を採寸により得られた背肩幅線の実寸の２分の一とし、
胸廻り部における背丈辺と、袖ぐり部の切り取り縁の下端部分から下方部分である横辺との最大幅を採寸により得られた胸廻り線の実寸の４分の一に、それぞれ設定させたことを特徴とする上衣製作用の原型。
【請求項２】
前記原型は、上衣の前側を形成する布を裁断させるために使用する前見頃原型であり、
背肩幅部と胸廻り部に挟まれる部分であって、背丈辺と袖ぐり部の切り取り縁と、により画成される部分を胸幅部とし、
胸幅部における背丈辺と袖ぐり部の切り取り縁との最小幅を採寸により得られた胸幅線の実寸の２分の一に設定させたことを特徴とする前見頃原型である請求項１記載の上衣製作用の原型。
【請求項３】
前記原型は、上衣の後ろ側を形成する布を裁断させるために使用する後見頃原型であり、
背肩幅部と胸廻り部に挟まれる部分であって、背丈辺と袖ぐり部の切り取り縁と、により画成される部分を背幅部とし、
背幅部における背丈辺と袖ぐり部の切り取り縁との最小幅を採寸により得られた背幅線の実寸の２分の一に設定させたことを特徴とする後見頃原型である請求項１記載の上衣製作用の原型。
【請求項４】
請求項１ないし３のいずれかに記載の上衣製作用の原型の外形輪郭線を薄紙に縮小表示したことを特徴とする縮小表示シート。
【請求項５】
少なくとも、
背肩幅部における背丈辺と袖ぐり部の切り取り縁との最大幅を採寸により得られた背肩幅線の実寸の２分の一とすること、
胸廻り部における背丈辺と、袖ぐり部の切り取り縁の下端部分から下方部分である横辺との最大幅を採寸により得られた胸廻り線の実寸の４分の一とすること、がそれぞれの寸法線に沿って文字表示されることを特徴とする請求項４記載の縮小表示シート。
【考案の詳細な説明】
【技術分野】
【０００１】
本考案は、上衣を製作するに当たって使用する原型及びその原型を縮小したシートに関する。
【背景技術】
【０００２】
従来、洋服等を製作する際に、例えば裁断の段階で、所要の形状をした平面状の原型に基づいて型紙を起こし、その型紙に沿って布を裁つ方法が一般的に行われる。この原型に対して、たとえば特許文献１に開示されているような洋服の原型の提案がなされている。特許文献１によれば、同添付図面の図１、図２、図４、図５に示すように、例えば略人体上半身の胴体部分を正面視で縦に２分割するように形成された半截薄平板状の型紙に、人体サイズに応じて切り通した溝を設け、該溝に沿って作図して原型を作成させるものが開示されている。
【特許文献１】実開昭６０−５６７２５
【考案の開示】
【考案が解決しようとする課題】
【０００３】
しかしながら、特許文献１によれば、サイズに応じて設けられた溝の種類が例えばＬ、Ｍ、Ｓの三種類であり、該溝に沿って原型を作成しても、Ｌ、Ｍ、Ｓの三種類に規格化される。したがって、これらの原型にもとづいて例えば型紙を起こす際に、例えば原型の寸法をどれくらい変化させて個人の体形に合わせた型紙を起こすかの見積もりが困難なため、個人の体形に合わない上衣を作る虞があるという問題があった。また、特許文献１によれば、例えば背肩幅線等の表示がないので、人体のどの部位を採寸して原型を作成すればよいのかが不明である。したがって、人体の所要部位の採寸により得られた実寸を基礎とした原型を作成できないので、例えばオーダーメード等の個人の体形に応じた上衣の製作ができないという問題があった。
【０００４】
本考案は、上記従来の課題に鑑みてなされたものであり、その目的は、例えばオーダーメード等の個人の体形に応じた上衣の製作を容易に実施できる上衣の製作用原型およびその縮小表示したシートを提供することにある。
【課題を解決するための手段】
【０００５】
上記の目的を達成するために、本考案は、人体上半身のさらに縦割り半身形からなる上衣製作用原型１０であって、該原型１０は、襟ぐり部１２と背肩部１４とからなる上辺１６と、上辺１６に隣接する横辺１８と、横辺１８に対向する背丈辺２０と、横辺１８と背丈辺２０とに連続し上辺１６に対向して形成される下辺２２と、で外形輪郭が形成され、横辺１８は、原型本体５０の内部側に凹設する凹部４８であって、縦長に凹設された袖ぐり部２４を有し、襟ぐり部１２と背肩部１４とからなる上辺１６を含む原型の上部を背肩幅部２６とし、背丈辺２０と、袖ぐり部の切り取り縁３２の下端３３部分から下方部分と、により画成される部分を胸廻り部２８とし、背肩幅部２６における背丈辺２０と袖ぐり部の切り取り縁３２との最大幅Ａを採寸により得られた背肩幅線４０の実寸の２分の一とし、胸廻り部２８における背丈辺２０と、袖ぐり部の切り取り縁３２の下端３３部分から下方部分である横辺１８との最大幅Ｂを採寸により得られた胸廻り線４２の実寸の４分の一に、それぞれ設定させた構成としている。
【０００６】
その際、前記原型１０は、上衣の前側を形成する布を裁断させるために使用する前見頃原型３０であり、背肩幅部２６と胸廻り部２８に挟まれる部分であって、背丈辺２０と袖ぐり部の切り取り縁３２と、により画成される部分を胸幅部３６とし、胸幅部３６における背丈辺２０と袖ぐり部の切り取り縁３２との最小幅Ｃを採寸により得られた胸幅線４４の実寸の２分の一に設定させてもよい。
【０００７】
また、前記原型１０は、上衣の後ろ側を形成する布を裁断させるために使用する後見頃原型３４であり、背肩幅部２６と胸廻り部２８に挟まれる部分であって、背丈辺２０と袖ぐり部の切り取り縁３２と、により画成される部分を背幅部３８とし、背幅部３８における背丈辺２０と袖ぐり部の切り取り縁３２との最小幅Ｄを採寸により得られた背幅線４６の実寸の２分の一に設定させてもよい。
【０００８】
また、請求項１ないし３のいずれかに記載の上衣製作用の原型１０、３０、３４の外形輪郭線を薄紙に縮小表示した縮小表示シート５２であってもよい。
【０００９】
その際、少なくとも、背肩幅部２６における背丈辺２０と袖ぐり部の切り取り縁３２との最大幅Ａを採寸により得られた背肩幅線４０の実寸の２分の一とすること、胸廻り部２８における背丈辺２０と、袖ぐり部２４の切り取り縁の下端３３部分から下方部分である横辺１８との最大幅Ｂを採寸により得られた胸廻り線４２の実寸の４分の一とすること、がそれぞれの寸法線に沿って文字表示されていてもよい。
【考案の効果】
【００１０】
本考案の上衣製作用の原型によれば、人体上半身のさらに縦割り半身形からなる上衣製作用原型であって、該原型は、襟ぐり部と背肩部とからなる上辺と、上辺に隣接する横辺と、横辺に対向する背丈辺と、横辺と背丈辺とに連続し上辺に対向して形成される下辺と、で外形輪郭が形成され、横辺は、原型本体の内部側に凹設する凹部であって、縦長に凹設された袖ぐり部を有し、襟ぐり部と背肩部とからなる上辺を含む原型の上部を背肩幅部とし、背丈辺と、袖ぐり部の切り取り縁の下端部分から下方部分と、により画成される部分を胸廻り部とし、背肩幅部における背丈辺と袖ぐり部の切り取り縁との最大幅を採寸により得られた背肩幅線の実寸の２分の一とし、胸廻り部における背丈辺と、袖ぐり部の切り取り縁の下端部分から下方部分である横辺との最大幅を採寸により得られた胸廻り線の実寸の４分の一に、それぞれ設定させた構成であるから、オーダーメード等の個人の体形に応じた上衣の製作をする際に、例えば原型の背肩幅部における背丈辺と袖ぐり部の切り取り縁との最大幅を、採寸により得られた背肩幅線の２分の１に設定することで容易に原型を作成できるとともに、採寸によって得られた実寸に基づくことで着衣者の実際の体形を確実に反映した原型を構成でき、仕上り完成品のフィット感の面での品質のバラツキなく上衣を製作することができる。また、職業製作者がオーダーメード等による上衣の製作を容易に行うことができる。また、既成の原型を購入する必要もない。
【００１１】
また、前記原型は、上衣の前側を形成する布を裁断させるために使用する前見頃原型であり、背肩幅部と胸廻り部に挟まれる部分であって、背丈辺と袖ぐり部の切り取り縁と、により画成される部分を胸幅部とし、胸幅部における背丈辺と袖ぐり部の切り取り縁との最小幅を採寸により得られた胸幅線の実寸の２分の一に設定させた構成であるから、例えば上衣の前側の部分を製作する際に、該前見頃原型を基準にして個人の体形に応じた布の裁断を行うことが容易になり、ひいてはオーダーメード等による上衣の製作の容易化を図ることができる原型を具体化できる。
【００１２】
また、前記原型は、上衣の後ろ側を形成する布を裁断させるために使用する後見頃原型であり、背肩幅部と胸廻り部に挟まれる部分であって、背丈辺と袖ぐり部の切り取り縁と、により画成される部分を背幅部とし、背幅部における背丈辺と袖ぐり部の切り取り縁との最小幅を採寸により得られた背幅線の実寸の２分の一に設定させた構成であるから、例えば上衣の後ろ側の部分を製作する際に、該後見頃原型を基準にして個人の体形に応じた布の裁断を容易に行うことができ、ひいてはオーダーメード等による上衣の製作の容易化を図ることができる原型を具体化できる。
【００１３】
また、本考案の縮小表示シートは、請求項１ないし３のいずれかに記載の上衣製作用の原型の外形輪郭線を薄紙に縮小表示した構成であるから、例えば上衣製作用の原型を作成する際に、該縮小表示シートを参考にして作成できるので、原型作成の失敗等によるやり直しを防止できるとともに原型作成の容易化を図ることができる。
【００１４】
その際、少なくとも、背肩幅部における背丈辺と袖ぐり部の切り取り縁との最大幅を採寸により得られた背肩幅線の実寸の２分の一とすること、胸廻り部における背丈辺と、袖ぐり部の切り取り縁の下端部分から下方部分である横辺との最大幅を採寸により得られた胸廻り線の実寸の４分の一とすること、がそれぞれの寸法線に沿って文字表示された構成であるから、例えば一般家庭等で初めて原型を作成する場合であっても、該文字表示された縮小表示シートを参考にしつつ、その文字表示された人体の所要部位の採寸をし、採寸により得られた実寸を基準にして原型を容易に作成できるので実用性が高い縮小表示シートを提供できるとともに、オーダーメード等の上衣の製作の容易化を図ることができる縮小表示シートを具体化できる。
【考案を実施するための最良の形態】
【００１５】
以下、添付図面を参照しつつ本考案を実施するための最良の形態について説明する。本考案の上衣製作用の原型は、人体の上半身の所要部位の採寸によって得られた実寸に基づいて該原型の所要部位の寸法を設定させることで、着衣者の実際の体形を確実に反映した原型を構成でき、仕上り完成品のフィット感の面での品質のバラツキなく上衣を製作することができるとともに、オーダーメード等の上衣の製作の容易化を図ることができるものである。なお、本発明の上衣製作用の原型の外形輪郭を縮小表示した縮小表示シートについても以下に説明する。
【００１６】
図１ないし図５は、本考案の上衣製作用の原型の実施形態を示しており、本実施形態において、上衣製作用の原型（以下「原型」という。）１０は、図１、図２に示すように、上辺１６と、横辺１８と、背丈辺２０と、下辺２２で外形輪郭が形成され、全体が人体上半身のさらに縦割り半身形で形成される。図１、図２に示すように、上辺１６は、襟ぐり部１２と背肩部１４とからなる。本実施形態において、襟ぐり部１２は、上衣に襟を装着させる部分に対応する原型１０側の部位であり、図１、図２に示すように、その形状を例えば略首廻り程度の直径の円を略４ないし６等分した程度の円弧状曲線であって、下方に下る円弧状曲線で形成される。襟ぐり部の形状は、本実施形態の形状に限らず、製作する上衣の種類等に応じた任意の形状とすることができる。本実施形態において、背肩部１４は、略上衣の肩部分に対応する原型１０側の部位であり、図１、図２に示すように、襟ぐり部１２を形成する円弧状曲線の上端に連続する傾斜線であって、略人体の肩の傾斜角度で該襟ぐり部１２と反対方向に向かって下る傾斜線で形成される。
【００１７】
本実施形態において、横辺１８は、略上衣の肩先から体側部分に対応する原型１０側の部位の辺であり、袖ぐり部２４を有している。袖ぐり部２４は、上衣に袖を装着させる部分に対応する原型１０側の部位であり、図１、図２に示すように、原型本体５０の内部側に凹設する凹部であって縦長に凹設され、その切り取り縁３２の外形輪郭を略し字状に形成される。そして、上述した背肩部１４を形成する傾斜線の下端に連続している。袖ぐり部の形状は、製作する上衣の種類等の必要に応じた任意の形状としてもよい。また、本実施形態において、横辺１８は、図１、図２に示すように、上述した切り取り縁３２の下端３３に、後述する胸廻り部２８の一部を形成させる所要の長さの垂線を連続させて形成される。
【００１８】
本実施形態において、背丈辺２０は、上衣の正面視幅方向の縦中心線に対応する原型１０側の部位の辺であり、図１、図２に示すように、略人体の首の付け根から腰までの長さの垂線で形成される。そして、上述した襟ぐり部１２を形成する曲線の下端に接続される。また、下辺２２は、図１、図２に示すように、上述した横辺１８と背丈辺２０とに連続し上辺１６に対向する水平な直線或いはやや下方に突出した円弧状曲線で形成される。
【００１９】
より詳しくは、本実施形態において、原型１０は、背肩幅部２６と、胸廻り部２８と、を含む。図１、図２に示すように、背肩幅部２６は、襟ぐり部１２と背肩部１４とからなる上辺１６を含む原型１０の上部で形成される。そして本実施形態の原型１０は、該背肩幅部２６における上述した背丈辺２０と袖ぐり部の切り取り縁３２との最大幅Ａ（図１、図２）を、採寸により得られた背肩幅線４０（図４）の実寸の２分の１に設定している。ここで、背肩幅線４０は、図４に示すように、人体の後ろ側の首の付け根ａを通って両肩先ｂ、ｂを結ぶ線を意味する。したがって、原型１０を作成する際には、該背肩幅線４０に沿って背肩幅線４０の長さを採寸し、該最大幅Ａが採寸により得られた実寸の２分の１になるように設定すればよい。
【００２０】
次に、胸廻り部２８は、図１、図２に示すように、背丈辺２０と、袖ぐり部の切り取り縁３２の下端３３部分から下方部分と、により画成される部分で形成される。そして本実施形態の原型１０は、該胸廻り部２８における上述した背丈辺２０と袖ぐり部の切り取り縁３２の下端３３部分から下方部分である横辺との最大幅Ｂ（図１、図２）を、採寸により得られた胸廻り線の実寸の４分の１に設定している。ここで、胸廻り線４２は、図３、図５に示すように、人体の乳首位置廻りを周回する線を意味する。したがって、原型１０を作成する際には、該胸廻り線４２沿っての胸廻り線４２長さを採寸し、該最大幅Ｂが採寸により得られた実寸の４分の１になるように設定すればよい。そして、該原型１０に基づいて、必要に応じた所要の緩み寸法等を付加させた寸法で実際の布を裁断することができる。なお、原型１０は、使用している間に折曲することがないように、例えば厚紙で形成されていてもよいし、合成樹脂製の薄板材で形成されていてもよい。以上のように、原型１０の所要部位の寸法が、採寸によって得られた実寸に基づくことで着衣者の実際の体形を確実に反映した原型を構成でき、仕上り完成品のフィット感の面での品質のバラツキなく上衣を製作することができる。
【００２１】
なお、本実施形態において、原型１０の構成は、上衣の前側を形成する布を裁断させるための前見頃原型３０と、上衣の後ろ側を形成する布を裁断させるための後見頃原型３４と、のいずれにも適用される。本実施形態において、前見頃原型３０は、上述した原型１０に胸幅部３６を備えて形成される。図１に示すように、胸幅部３６は、背肩幅部２６と胸廻り部２８に挟まれる部分であって、背丈辺２０と袖ぐり部２４の切り取り縁３２と、により画成される部分で形成される。そして、該胸幅部３６における背丈辺２０と袖ぐり部２４の切り取り縁３２との最小幅Ｃ（図１）を採寸によって得られた胸幅線３６の実寸の２分の１に設定させて形成される。ここで、胸幅線３６は、図３に示すように、人体胸部の左右の腕の付け根から付け根の間の線を意味する。したがって、前見頃原型３０を作成する際には、該胸幅線３６沿って胸幅線３６長さを採寸し、該最小幅Ｃが採寸により得られた実寸の２分の１になるように設定すればよい。
【００２２】
次に、本実施形態において、後見頃原型３４は、上述した原型１０に背幅部３８を備えて形成される。図２に示すように、背幅部３８は、背肩幅部２６と胸廻り部２８に挟まれる部分であって、背丈辺２０と袖ぐり部２４の切り取り縁３２と、により画成される部分で形成される。そして、該背幅部３８における背丈辺２０と袖ぐり部２４の切り取り縁３２との最小幅Ｄ（図２）を採寸によって得られた背幅線３８の実寸の２分の１に設定させて形成される。ここで、背幅線３８は、図４に示すように、人体後ろ側の左右の腕の付け根から付け根の間の線を意味する。したがって、後見頃原型３４を作成する際には、該背幅線３８沿って背幅線３８の長さを採寸し、該最小幅Ｄが採寸により得られた実寸の２分の１になるように設定すればよい。
【００２３】
次に、図６、図７は、本考案の縮小表示シートの実施形態を示している。本実施形態において、縮小シート５２は、図６、図７に示すように、前見頃原型縮小シート５２ａと、後見頃原型縮小シート５２ｂと、を含む。本実施形態において、前見頃原型縮小シート５２ａは、上述した前見頃原型３０の外形輪郭線を縮小表示させて形成される。そして、該前見頃原型縮小シート５２ａは、図６に示すように、上述した最大幅Ａ、最大幅Ｂ、及び最小幅Ｃを表示させる寸法線５４、５６、５８を設け、該それぞれの寸法線に沿って「背肩幅線／２」、「胸廻り線／４」、「胸幅線／２」の文字表示をそれぞれ付して形成される。したがって、該前見頃原型縮小シート５２ａを見れば、最大幅Ａが背肩幅線の２分の１であること、最大幅Ｂが胸廻り線の４分の１であること、及び最小幅Ｃが胸幅線の２分の１であることを、容易に理解することができる。
【００２４】
本実施形態において、後見頃原型縮小シート５２ｂは、上述した後見頃原型３４の外形輪郭線を縮小表示させて形成される。そして、該後見頃原型縮小シート５２ｂは、図７に示すように、上述した最大幅Ａ、最大幅Ｂ、及び最小幅Ｄを表示させる寸法線５４、５６、６０を設け、該それぞれの寸法線に沿って「背肩幅線／２」、「胸廻り線／４」、「背幅線／２」の文字表示をそれぞれ付して形成される。したがって、該後見頃原型縮小シート５２ｂを見れば、最大幅Ａが背肩幅線の２分の１であること、最大幅Ｂが胸廻り線の４分の１であること、及び最小幅Ｄが背幅線の２分の１であることならびにこれらの幅Ａ、Ｂ、Ｃ、Ｄの原型３０、３４上における位置を、容易に理解することができる。したがって、例えば一般家庭等で初めてこれらの原型３０、３４を作成する場合であっても、該文字表示された縮小表示シート５２ａ、５２ｂを参考にしつつ、その文字表示された人体の所要部位の採寸をし、採寸により得られた実寸を基準にして原型３０、３４を容易に作成できるので、実用性が高い縮小表示シート５２を提供できるとともに、オーダーメード等の上衣の製作の容易化を図ることが可能な縮小表示シート５２を提供できる。
【００２５】
以上のように、本考案の上衣製作用の原型及びそれを縮小表示したシートによれば、着衣者の実際の体形を確実に反映した原型を構成でき、仕上り完成品のフィット感の面での品質のバラツキなく上衣を製作することができるとともに、オーダーメード等の上衣の製作の容易化を図ることができる上衣製作用の原型及びそれを縮小表示したシートを提供できる。
【００２６】
以上説明した本考案の上衣の製作用原型及びそれを縮小表示したシートは、上記した実施形態のみに限定されるものではなく、実用新案登録請求の範囲に記載した考案の本質を逸脱しない範囲において、任意の改変を行ってもよい。
【産業上の利用可能性】
【００２７】
本考案の上衣の製作用原型及びそれを縮小表示したシートは、専門の裁縫業者のみならず一般家庭にわたって広範に無理なく用いることができる。
【図面の簡単な説明】
【００２８】
【図１】本考案の実施形態に係る前見頃原型の平面図である。
【図２】本考案の実施形態に係る後見頃原型の平面図である。
【図３】本考案の実施形態に係る上衣製作用の原型を説明するための人体の前側上半身を示す概略説明図である。
【図４】本考案の実施形態に係る上衣製作用の原型を説明するための人体の後ろ側上半身を示す概略説明図である。
【図５】本考案の実施形態に係る上衣製作用の原型を説明するための人体の胴体の断面を示す概略説明図である。
【図６】本考案の実施形態に係る前見頃原型の縮小表示シートの平面図である。
【図７】本考案の実施形態に係る後見頃原型の縮小表示シートの平面図である。
【符号の説明】
【００２９】
１０  原型
１２  襟ぐり部
１４  背肩部
１６  上辺
１８  横辺
２０  背丈辺
２２  下辺
２４  袖ぐり部
２６  背肩幅部
２８  胸廻り部
３０  前見頃原型
３２  袖ぐり部の切り取り縁
３４  後見頃原型
３６  胸幅部
３８  背幅部
４０  背肩幅線
４２  胸廻り線
４４  胸幅線
４６  背幅線
４８  凹部
５０  原型本体
５２  縮小表示シート
５４、５６、５８、６０  寸法線
Ａ  背肩幅部における背丈辺と袖ぐり部の切り取り縁との最大幅
Ｂ  胸廻り部における背丈辺と袖ぐり部の切り取り縁の下端部分から下方部分である横辺との最大幅
Ｃ  胸幅部における背丈辺と袖ぐり部の切り取り縁との最小幅
Ｄ  背幅部における背丈辺と袖ぐり部の切り取り縁との最小幅
【図１】
0003120867.tif 000003
【図２】
0003120867.tif 000004
【図３】
0003120867.tif 000005
【図４】
0003120867.tif 000006
【図５】
0003120867.tif 000007
【図６】
0003120867.tif 000008
【図７】
0003120867.tif 000009